(57)【要約】【課題】使用者に冷感を与えにくくすることに貢献する低周波治療器を提供する。【解決手段】低周波治療器１は、電源部を有する低周波治療器本体１０と、人体に取り付けられるパッド４０と、低周波治療器本体１０とパッド４０とを互いに接続するコードと、パッド４０を温めることができるヒーター５０とを有する。低周波治療器１は、ヒーター５０が熱を出力した時間に応じて変化する検知信号ＳＤ、または、パッド４０の温度に応じて変化する検知信号ＳＤを出力する情報出力部と、検知信号ＳＤに基づいてパッド４０の温度に関する情報を出力する検知情報報知部３１とを有する。【選択図】図２
2015000298.tif 000002
【特許請求の範囲】
【請求項１】
電源部を有する低周波治療器本体と、
人体に取り付けられるパッドと、
前記低周波治療器本体と前記パッドとを互いに接続するコードと、
前記パッドを温めることができるヒーターと、
前記ヒーターが熱を出力した時間に応じて変化する検知信号、または、前記パッドの温度に応じて変化する検知信号を出力する情報出力部と、
前記検知信号に基づいて前記パッドの温度に関する情報を出力する検知情報報知部と
を有する低周波治療器。
【請求項２】
前記検知情報報知部は、前記パッドの温度が前記パッドの目標温度に達していることが前記検知信号により示唆されるとき、前記パッドの温度に関する情報として昇温完了情報を出力し、前記パッドの温度が前記パッドの目標温度に達していないことが前記検知信号により示唆されるとき、前記パッドの温度に関する情報として昇温過程情報を出力する
請求項１に記載の低周波治療器。
【請求項３】
前記低周波治療器は、温度調整部を有し、
前記温度調整部は、前記パッドの目標温度を変化させる
請求項１または２に記載の低周波治療器。
【請求項４】
前記低周波治療器は、目標温度報知部を有し、
前記目標温度報知部は、前記パッドの目標温度に関する情報を報知する
請求項３に記載の低周波治療器。
【請求項５】
前記低周波治療器本体は、パッド収納部を有し、
前記パッド収納部は、低周波治療器本体に対する前記パッドの位置を保持するための構造を有し、
前記ヒーターは、前記パッドおよび前記パッド収納部の少なくとも一方に存在する
請求項１〜４のいずれか一項に記載の低周波治療器。
【発明の詳細な説明】
【技術分野】
【０００１】
本発明は、低周波治療器に関する。
【背景技術】
【０００２】
特許文献１は、従来の低周波治療器の一例を開示している。特許文献１の低周波治療器は、図５に示される低周波治療器用パッド３００を有する。
低周波治療器用パッド３００は、柔軟性を有している。低周波治療器用パッド３００は、電流を伝導させる導電部３１０、および、人体に取り付けられる粘着部３２０を有する。粘着部３２０は、ゲル状の材料により形成されている。粘着部３２０は、導電部３１０と一致する領域に形成された第１粘着部３２１、および、導電部３１０の周囲を連続的に取り囲む第２粘着部３２２を有する。
【先行技術文献】
【特許文献】
【０００３】
【特許文献１】特開２００９−１３６４７２号公報
【発明の概要】
【発明が解決しようとする課題】
【０００４】
粘着部３２０は、ゲル状の材料により形成されているため、使用者に冷感を与えやすい。このため、粘着部３２０が使用者の人体に取り付けられたとき、使用者が不快感を覚えるおそれがある。
【０００５】
本発明は、以上の背景をもとに創作されたものであり、使用者に冷感を与えにくくすることに貢献する低周波治療器を提供することを目的としている。
【課題を解決するための手段】
【０００６】
本低周波治療器は、電源部を有する低周波治療器本体と、人体に取り付けられるパッドと、前記低周波治療器本体と前記パッドとを互いに接続するコードと、前記パッドを温めることができるヒーターと、前記ヒーターが熱を出力した時間に応じて変化する検知信号、または、前記パッドの温度に応じて変化する検知信号を出力する情報出力部と、前記検知信号に基づいて前記パッドの温度に関する情報を出力する検知情報報知部とを有する。
【０００７】
本低周波治療器は、パッドをヒーターにより温めることができる。このため、使用者に冷感を与えにくくすることに貢献する。本低周波治療器は、パッドが温められたことを検知情報報知部により報知することができる。このため、使用者に冷感を与えにくくする効果がより得られやすくなる。
【発明の効果】
【０００８】
本低周波治療器は、使用者に冷感を与えにくくすることに貢献する。
【図面の簡単な説明】
【０００９】
【図１】実施形態の低周波治療器のブロック図。
【図２】実施形態の低周波治療器の平面図。
【図３】実施形態の低周波治療器における図２のＺ３−Ｚ３線の断面図。
【図４】実施形態の予熱制御を示すフローチャート。
【図５】従来の低周波治療器用パッドの部分断面図。
【発明を実施するための形態】
【００１０】
〔ａ〕前記低周波治療器は、次の事項を有する。前記検知情報報知部は、前記パッドの温度が前記パッドの目標温度に達していることが前記検知信号により示唆されるとき、前記パッドの温度に関する情報として昇温完了情報を出力する。前記検知情報報知部は、前記パッドの温度が前記パッドの目標温度に達していないことが前記検知信号により示唆されるとき、前記パッドの温度に関する情報として昇温過程情報を出力する。
【００１１】
〔ｂ〕前記低周波治療器は、次の事項を有する。前記低周波治療器は、温度調整部を有し、前記温度調整部は、前記パッドの目標温度を変化させる。
〔ｃ〕前記低周波治療器は、次の事項を有する。前記低周波治療器は、目標温度報知部を有し、前記目標温度報知部は、前記パッドの目標温度に関する情報を報知する。
【００１２】
〔ｄ〕前記低周波治療器は、次の事項を有する。前記低周波治療器本体は、パッド収納部を有し、前記パッド収納部は、低周波治療器本体に対する前記パッドの位置を保持するための構造を有し、前記ヒーターは、前記パッドおよび前記パッド収納部の少なくとも一方に存在する。
【００１３】
（実施形態）
図１は、低周波治療器１の一形態のブロック図を示している。
低周波治療器１は、低周波治療器本体１０、操作部２０、報知部３０、一対のパッド４０、ヒーター５０、および、一対のコード６０を有する。低周波治療器１は、一対のパッド４０に電流を流すことにより、使用者２００の人体に低周波治療を施す。
【００１４】
低周波治療器本体１０は、複数の構成要素を有する。低周波治療器本体１０の複数の構成要素は、差込プラグ（図示略）、パッド収納部１１、制御部１２、情報出力部１３、電源部１４、低周波用電気出力部１５、ヒーター用電気出力部１６、操作部２０、および、報知部３０を含む。
【００１５】
電源部１４は、低周波治療器本体１０の内部に配置されている。差込プラグ（図示略）は、商用交流電源２から電源部１４に電力を供給する。電源部１４は、複数の電気ブロックのそれぞれに電力を供給する。制御部１２、情報出力部１３、低周波用電気出力部１５、および、ヒーター用電気出力部１６は、電気ブロックの一例に該当する。
【００１６】
パッド４０は、柔軟性を有する。一対のパッド４０は、使用者２００の人体に取り付けられているとき、低周波治療に適した微弱な電流を人体に流すことができる。図１の破線は、一対のパッド４０が使用者２００の人体に流す電流を示している。
【００１７】
ヒーター５０の一例としてのＰＴＣヒーターは、パッド４０と一体化されている。ヒーター５０は、柔軟性を有する。ヒーター５０は、パッド４０の粘着部４１（図３参照）を温めることができる。ヒーター５０は、ヒーター用電気出力部１６から供給された電力に基づいて発熱する。図１の破線は、ヒーター５０が使用者２００の人体に付与する熱を示している。
【００１８】
コード６０は、低周波治療器本体１０とパッド４０とを互いに接続している。コード６０は、低周波用電気出力部１５が出力する電力をパッド４０に伝導する。コード６０は、ヒーター用電気出力部１６が出力する電力をヒーター５０に伝導する。
【００１９】
操作部２０は、低周波治療器本体１０に形成されている。操作部２０は、電源部１４および制御部１２のそれぞれと電気的に接続されている。操作部２０は、操作信号ＳＯを制御部１２に出力する。操作部２０は、昇温切替部２１、温度調整部２２、モード変更部２３、電力調整部２４、および、電源スイッチ２５を有する。
【００２０】
昇温切替部２１は、ヒーター５０のオンまたはオフの設定を切り替える。昇温切替部２１は、使用者２００の操作に応じて、操作信号ＳＯとしての昇温操作信号ＳＯＨを制御部１２に出力する。昇温操作信号ＳＯＨは、ヒーター５０のオンまたはオフを変化させるための情報を含む。
【００２１】
温度調整部２２は、パッド４０の目標温度ＴＴを変化させる。温度調整部２２は、使用者２００の操作に応じて、操作信号ＳＯとしての温度調整操作信号ＳＯＡを制御部１２に出力する。温度調整操作信号ＳＯＡは、パッド４０の目標温度ＴＴを変化させるための情報を含む。
【００２２】
モード変更部２３は、一対のパッド４０に流れる電流の周波数を変化させる。モード変更部２３は、使用者２００の操作に応じて、操作信号ＳＯとしてのモード変更操作信号ＳＯＭを制御部１２に出力する。モード変更操作信号ＳＯＭは、一対のパッド４０に流れる電流の周波数を変化させるための情報を含む。
【００２３】
電力調整部２４は、一対のパッド４０に流れる電流の大きさを変化させる。電力調整部２４は、使用者２００の操作に応じて、操作信号ＳＯとしての電力調整操作信号ＳＯＥを制御部１２に出力する。電力調整操作信号ＳＯＥは、一対のパッド４０に流れる電流の大きさを変化させるための情報を含む。
【００２４】
電源スイッチ２５は、制御部１２の駆動状態を制御状態または待機状態に切り替える。電源スイッチ２５は、使用者２００の操作に応じて、操作信号ＳＯとしての電源操作信号ＳＯＰを制御部１２に出力する。電源操作信号ＳＯＰは、制御部１２の駆動状態を変化させるための情報を含む。
【００２５】
情報出力部１３は、電源部１４および制御部１２のそれぞれと電気的に接続されている。情報出力部１３は、低周波治療器本体１０の内部に配置されている。情報出力部１３は、タイマーを有する。情報出力部１３は、予熱制御の開始後においてヒーター５０が熱を出力した時間（以下、「予熱時間Ｈ」）を計測する。情報出力部１３は、予熱時間Ｈに関する情報を含む検知信号ＳＤを制御部１２に出力する。パッド４０の粘着部４１（図３参照）は、ヒーター５０から熱を受ける。このため、パッド４０の温度（以下、「パッド温度ＴＰ」）としての粘着部４１の温度は、ヒーター５０が熱を出力した時間である予熱時間Ｈと相関を有する。このため、予熱時間Ｈは、パッド温度ＴＰを間接的に示す。すなわち、情報出力部１３は、パッド温度ＴＰを間接的に検知する。
【００２６】
制御部１２は、低周波治療器本体１０の内部に配置されている。制御部１２は、駆動状態として待機状態を形成しているとき、制御を実行しない。制御部１２は、駆動状態として制御状態を形成しているとき、一例として、以下に示される各種の制御を実行する。
【００２７】
制御部１２は、昇温操作信号ＳＯＨに基づいて、昇温駆動信号ＳＤＴまたは昇温停止信号ＳＳＴをヒーター用電気出力部１６に出力する。昇温駆動信号ＳＤＴは、ヒーター用電気出力部１６からヒーター５０に電力を出力させるための情報を含む。昇温停止信号ＳＳＴは、ヒーター用電気出力部１６からヒーター５０への電力の出力を停止させるための情報を含む。
【００２８】
制御部１２は、温度調整操作信号ＳＯＡに基づいて、目標温度ＴＴを設定する。制御部１２は、パッド４０の目標温度ＴＴに基づいて、温度制御信号ＳＴをヒーター用電気出力部１６に出力する。温度制御信号ＳＴは、ヒーター５０から出力される熱量を指定するための情報を含む。
【００２９】
制御部１２は、温度調整操作信号ＳＯＡに基づいて、目標温度報知信号ＳＣＴを目標温度報知部３２に出力する。目標温度報知信号ＳＣＴは、温度調整操作信号ＳＯＡに基づいて設定したパッド４０の目標温度ＴＴに関する情報を含む。
【００３０】
制御部１２は、モード変更操作信号ＳＯＭに基づいて、低周波治療モードを選択する。制御部１２は、低周波治療モードに対応する周波数制御信号ＳＦを低周波用電気出力部１５に出力する。周波数制御信号ＳＦは、一対のパッド４０に流れる電流の周波数を指定するための情報を含む。
【００３１】
制御部１２は、モード変更操作信号ＳＯＭに基づいて、モード報知信号ＳＣＭをモード報知部３３に出力する。モード報知信号ＳＣＭは、モード変更操作信号ＳＯＭに基づいて設定した低周波治療モードの情報を含む。
【００３２】
制御部１２は、電力調整操作信号ＳＯＥに基づいて、電気制御信号ＳＥを低周波用電気出力部１５に出力する。電気制御信号ＳＥは、一対のパッド４０に流れる電流の大きさを指定するための情報を含む。
【００３３】
制御部１２は、検知信号ＳＤに基づいて、検知報知信号ＳＣＤを検知情報報知部３１に出力する。制御部１２は、パッド温度ＴＰがパッド４０の目標温度ＴＴに達していることが検知信号ＳＤにより示唆されるとき、検知報知信号ＳＣＤを出力する。検知信号ＳＤは、検知信号ＳＤにより示される予熱時間Ｈ、および、判定時間ＨＪが所定の関係を満たすとき、パッド温度ＴＰが目標温度ＴＴに達していることを示唆する。検知報知信号ＳＣＤは、パッド温度ＴＰに関する情報としての昇温完了情報を検知情報報知部３１に出力させるための情報を含む。判定時間ＨＪは、制御部１２のメモリに予め記憶されている。
【００３４】
制御部１２は、待機状態を形成しているとき、電源操作信号ＳＯＰを受信したことに基づいて、駆動状態を制御状態に変化させる。制御部１２は、制御状態を形成しているとき、電源操作信号ＳＯＰを受信したことに基づいて、駆動状態を待機状態に変化させる。
【００３５】
制御部１２は、制御状態を形成し、かつ、予熱制御を実行していないとき、昇温操作信号ＳＯＨを受信したことに基づいて、予熱制御を開始する。予熱制御は、ヒーター５０によりパッド４０を温めることを目的として実行される。制御部１２は、予熱制御を実行しているとき、昇温操作信号ＳＯＨを受信したことに基づいて、予熱制御を終了する。
【００３６】
低周波用電気出力部１５は、電源部１４および制御部１２のそれぞれと電気的に接続されている。低周波用電気出力部１５は、電気制御信号ＳＥおよび周波数制御信号ＳＦに基づいて、一対のパッド４０に電力を出力する。
【００３７】
ヒーター用電気出力部１６は、電源部１４および制御部１２のそれぞれと電気的に接続されている。ヒーター用電気出力部１６は、昇温駆動信号ＳＤＴおよび温度制御信号ＳＴに基づいて、ヒーター５０に電力を出力する。
【００３８】
報知部３０は、低周波治療器本体１０に形成されている。報知部３０は、電源部１４および制御部１２のそれぞれと電気的に接続されている。報知部３０は、制御部１２から出力される信号に基づいて、各種の報知情報を出力する。報知部３０は、検知情報報知部３１、目標温度報知部３２、および、モード報知部３３を有する。
【００３９】
検知情報報知部３１は、検知報知信号ＳＣＤに基づいて、パッド温度ＴＰに関する情報（以下、「パッド温度情報」）を出力する。パッド温度情報は、パッド温度ＴＰと目標温度ＴＴとの関係を使用者２００に報知する。検知情報報知部３１は、パッド温度ＴＰが目標温度ＴＴに達しているとき、パッド温度情報としての昇温完了情報を出力する。
【００４０】
目標温度報知部３２は、目標温度報知信号ＳＣＴに基づいて、パッド４０の目標温度ＴＴに関する情報（以下、「目標温度情報」）を出力する。目標温度情報は、そのときに設定されているパッド４０の目標温度ＴＴ、または、目標温度ＴＴのレベルを使用者２００に報知する。
【００４１】
モード報知部３３は、モード報知信号ＳＣＭに基づいて、パッド４０に流れる電流の周波数に関する情報（以下、「モード情報」）を出力する。モード情報は、そのときに設定されている低周波治療モードを使用者２００に報知する。
【００４２】
図２は、低周波治療器１の具体的な一形態の平面図を示している。
パッド収納部１１は、低周波治療器本体１０に形成されている。パッド収納部１１は、低周波治療器本体１０に対するパッド４０の位置を保持するための構造を有する。パッド収納部１１は、コード６０が周囲に巻き付けられた状態のパッド４０を収納することができる。
【００４３】
昇温切替部２１は、ボタン型の形態を有する。昇温切替部２１は、使用者２００により押下操作が行われる毎に、昇温操作信号ＳＯＨを制御部１２に出力する。このため、制御部１２は、昇温切替部２１が押下操作される毎に、昇温駆動信号ＳＤＴまたは昇温停止信号ＳＳＴをヒーター用電気出力部１６に出力する。このため、昇温切替部２１が押下操作される毎に、ヒーター５０のオンまたはオフが切り替えられる。
【００４４】
温度調整部２２は、ボタン型の形態を有する。温度調整部２２は、使用者２００により押下操作が行われる毎に、温度調整操作信号ＳＯＡを制御部１２に出力する。温度調整操作信号ＳＯＡの内容は、温度調整部２２の１操作サイクルにおける操作回数に応じて変化する。温度調整部２２は、一例として、３回の押下操作を１操作サイクルとして有する。
【００４５】
温度調整部２２は、１操作サイクルの最初の操作において、目標温度ＴＴとしての第１目標温度ＴＴ１に関する情報を含む温度調整操作信号ＳＯＡを制御部１２に出力する。第１目標温度ＴＴ１は、身体の第１範囲に適した温度として設定されている。身体の第１範囲は、一例として、肩、首、および、その周辺の部位を示す。
【００４６】
温度調整部２２は、１操作サイクルの２番目の操作において、目標温度ＴＴとしての第２目標温度ＴＴ２に関する情報を含む温度調整操作信号ＳＯＡを制御部１２に出力する。第２目標温度ＴＴ２は、身体の第２範囲に適した温度として設定されている。身体の第２範囲は、一例として、腰、および、その周辺の部位を示す。
【００４７】
温度調整部２２は、１操作サイクルの３番目の操作において、目標温度ＴＴとしての第３目標温度ＴＴ３に関する情報を含む温度調整操作信号ＳＯＡを制御部１２に出力する。第３目標温度ＴＴ３は、身体の第３範囲に適した温度として設定されている。身体の第３範囲は、一例として、腕、脚、および、その周辺の部位を示す。
【００４８】
モード変更部２３は、ボタン型の形態を有する。モード変更部２３は、使用者２００により押下操作が行われる毎に、モード変更操作信号ＳＯＭを制御部１２に出力する。モード変更操作信号ＳＯＭの内容は、モード変更部２３の１操作サイクルにおける操作回数に応じて変化する。モード変更部２３は、一例として、３回の操作を１操作サイクルとして有する。
【００４９】
電力調整部２４は、つまみ型の形態を有する。電力調整部２４は、使用者２００により操作位置が変更される毎に、電力調整操作信号ＳＯＥを制御部１２に出力する。電力調整操作信号ＳＯＥの内容は、電力調整部２４の操作位置に応じて変化する。電力調整部２４は、操作位置が切位置のとき、電力調整操作信号ＳＯＥを制御部１２に出力しない。このため、低周波用電気出力部１５は、パッド４０に電力を出力しない。
【００５０】
低周波用電気出力部１５およびヒーター用電気出力部１６は、個別に電力を出力することができる。一例として、昇温切替部２１の設定がオン、かつ、電力調整部２４の操作位置が切位置のとき、ヒーター用電気出力部１６が電力を出力し、低周波用電気出力部１５は電力を出力しない。
【００５１】
検知情報報知部３１は、ＬＥＤランプを有する。検知情報報知部３１は、検知報知信号ＳＣＤを受信したことに基づいて、ＬＥＤランプを点灯する。検知情報報知部３１のＬＥＤランプの点灯は、検知情報報知部３１によるパッド温度情報の出力の一形態に相当する。検知情報報知部３１は、検知報知信号ＳＣＤを受信していないとき、ＬＥＤランプを消灯する。
【００５２】
制御部１２は、温度調整操作信号ＳＯＡに含まれるパッド４０の目標温度ＴＴに関する情報に基づいて、第１目標温度ＴＴ１〜第３目標温度ＴＴ３のいずれかの目標温度ＴＴに関する情報を含む目標温度報知信号ＳＣＴを目標温度報知部３２に出力する。
【００５３】
目標温度報知部３２は、３つのＬＥＤランプを有する。目標温度報知部３２は、目標温度報知信号ＳＣＴを受信したことに基づいて、３つのＬＥＤランプのうちのいずれか１つを点灯する。目標温度報知部３２のＬＥＤランプの点灯は、目標温度報知部３２による目標温度情報の出力の一形態に相当する。目標温度報知部３２は、目標温度報知信号ＳＣＴを受信していないとき、３つのＬＥＤランプを消灯する。
【００５４】
目標温度報知部３２は、第１目標温度ＴＴ１に関する情報が目標温度報知信号ＳＣＴに含まれるとき、第１のＬＥＤランプを点灯する。目標温度報知部３２は、第２目標温度ＴＴ２に関する情報が目標温度報知信号ＳＣＴに含まれるとき、第２のＬＥＤランプを点灯する。目標温度報知部３２は、第３目標温度ＴＴ３に関する情報が目標温度報知信号ＳＣＴに含まれるとき、第３のＬＥＤランプを点灯する。
【００５５】
モード報知部３３は、３つのＬＥＤランプを有する。モード報知部３３は、モード報知信号ＳＣＭを受信したことに基づいて、３つのＬＥＤランプのうちのいずれか１つを点灯する。モード報知部３３のＬＥＤランプの点灯は、モード報知部３３によるモード情報の出力の一形態に相当する。モード報知部３３は、モード報知信号ＳＣＭを受信していないとき、３つのＬＥＤランプを消灯する。
【００５６】
図３は、パッド４０の断面図を示している。
パッド４０は、複数の構成要素を有する。パッド４０の複数の構成要素は、粘着部４１、導電部４２、絶縁部４３、および、断熱材４４を含む。パッド４０は、ヒーター５０と一体化された構造を有する。パッド４０の複数の構成要素およびヒーター５０は、粘着部４１、導電部４２、絶縁部４３、ヒーター５０、および、断熱材４４の順に積層され、接触する構成要素同士が互いに接合された構造を有する。
【００５７】
粘着部４１は、一例として、ゲル状の材料により構成されている。粘着部４１は、電気および熱を伝えやすい性質を有する。粘着部４１は、使用者２００の人体に接着しやすく、かつ、人体から剥がれにくい性質を有する。導電部４２は、一例として、低周波カーボン電極により構成されている。導電部４２は、粘着部４１を介して使用者２００に電流を流す。絶縁部４３は、一例として、ＰＥＴシートにより構成されている。
【００５８】
図４は、予熱制御を示すフローチャートを示している。
制御部１２は、ステップＳ１１において、ヒーター用電気出力部１６に昇温駆動信号ＳＤＴを出力する。制御部１２は、ステップＳ１２において、情報出力部１３から出力された検知信号ＳＤを読み込む。
【００５９】
制御部１２は、ステップＳ１３において、検知信号ＳＤにより示される予熱時間Ｈが判定時間ＨＪに達したか否かを判定する。制御部１２は、検知信号ＳＤにより示される予熱時間Ｈが判定時間ＨＪに達していないとき、予熱時間Ｈが判定時間ＨＪに達するまでステップＳ１３の判定処理を繰り返す。制御部１２は、予熱時間Ｈが判定時間ＨＪに達したとき、ステップＳ１４に移行する。
【００６０】
制御部１２は、ステップＳ１４において、検知情報報知部３１に検知報知信号ＳＣＤを出力する。制御部１２は、ステップＳ１５において、ヒーター用電気出力部１６に昇温停止信号ＳＳＴを出力する。
【００６１】
低周波治療器１は、以下の作用を有する。
低周波治療器１は、使用者２００による使用が開始される前、一例として次の状態を形成している。パッド４０は、パッド４０の周囲にコード６０が巻き付けられた状態において、パッド収納部１１に収納されている。差込プラグ（図示略）は、商用交流電源２に差し込まれていない。パッド４０の粘着部４１は、環境温度と同じ温度、または、環境温度に近い温度を有する。
【００６２】
低周波治療器１は、使用者２００による使用が開始されることにより、一例として次の状態を形成する。差込プラグ（図示略）は、使用者２００により商用交流電源２に差し込まれる。電源スイッチ２５は、使用者２００により操作される。制御部１２は、電源スイッチ２５の操作に基づいて、駆動状態を待機状態から制御状態に変化させる。昇温切替部２１は、使用者２００により操作される。制御部１２は、昇温操作信号ＳＯＨを受信したことに基づいて、予熱制御を開始する。ヒーター５０は、予熱制御の開始に基づいて、熱を出力しはじめる。情報出力部１３は、予熱制御の開始に基づいて、予熱時間Ｈの計測を開始する。パッド温度ＴＰは、ヒーター５０による熱の出力にともない上昇しはじめる。
【００６３】
低周波治療器１は、予熱時間Ｈの経過にともない次の状態を形成する。制御部１２は、予熱時間Ｈが判定時間ＨＪに達したことに基づいて、パッド４０の温度に関する情報を検知情報報知部３１に出力させ、ヒーター５０による熱の出力を停止させる。検知情報報知部３１は、パッド４０の温度に関する情報の出力としてＬＥＤランプを点灯する。ＬＥＤランプの光は、使用者２００に視認される。ヒーター５０は、熱の出力を停止する。パッド温度ＴＰは、使用者２００が不快感を覚えにくくなる程度まで上昇している。パッド４０は、使用者２００によりパッド収納部１１から取り出され、使用者２００の人体に取り付けられる。使用者２００は、粘着部４１から熱を受ける。このため、使用者２００は、粘着部４１がヒーター５０からの熱を受けていない場合と比較して、冷感に起因する不快感を覚えにくい。なお、このことは、温度上昇したパッド４０が使用者２００に取り付けられたとき、全ての使用者２００が同じ感覚を覚えることを意味していない。
【００６４】
低周波治療器１は、以下の効果を奏する。
（１）低周波治療器１は、ヒーター５０を有する。このため、パッド４０を温めることができる。このため、使用者２００に冷感を与えにくくすることに貢献する。
【００６５】
（２）低周波治療器本体１０は、検知情報報知部３１を有する。このため、パッド４０が温められたことを検知情報報知部３１により報知することができる。このため、使用者２００に冷感を与えにくくする効果が得られやすくなる。
【００６６】
（３）低周波治療器本体１０は、温度調整部２２を有する。温度調整部２２は、パッド４０の目標温度ＴＴを変化させる。制御部１２は、目標温度ＴＴに基づいて、ヒーター用電気出力部１６の出力を制御する。このため、パッド温度ＴＰは、温度調整部２２の操作に応じて変化する。このため、使用者２００は、温度調整部２２の操作によりパッド温度ＴＰを変化させることができる。
【００６７】
（４）低周波治療器本体１０は、目標温度報知部３２を有する。目標温度報知部３２は、目標温度情報を報知する。このため、使用者２００は、パッド温度ＴＰが到達する温度レベルを認識することができる。
【００６８】
（その他の実施形態）
本低周波治療器は、実施形態とは異なるその他の実施形態を含む。その他の実施形態は、一例として以下に示される実施形態の変形例を含む。なお、以下の各変形例は、技術的に矛盾しない範囲において互いに組み合わせることができる。
【００６９】
・実施形態のヒーター５０は、パッド４０と一体化されている。ただし、ヒーター５０の構成は、実施形態に例示された内容に限られない。変形例のヒーター５０は、パッド収納部１１の内部に配置されている。このヒーター５０は、パッド４０がパッド収納部１１に収納されているとき、パッド４０を温めることができる。
【００７０】
・実施形態の検知情報報知部３１は、ＬＥＤランプを有する。ただし、検知情報報知部３１の構成は、実施形態に例示された内容に限られない。変形例の検知情報報知部３１は、一例としてディスプレイまたはスピーカーを有する。なお、目標温度報知部３２、および、モード報知部３３においても、上記変形例に準じた変形が成立する。
【００７１】
・実施形態の昇温切替部２１は、ボタン型の形態を有する。ただし、昇温切替部２１の形態は、実施形態に例示された内容に限られない。変形例の昇温切替部２１は、一例として、つまみ型、または、タッチパネル型の形態を有する。なお、温度調整部２２、モード変更部２３、および、電力調整部２４においても、上記変形例に準じた変形が成立する。
【００７２】
・実施形態の制御部１２は、温度調整部２２の操作に基づいて、第１目標温度ＴＴ１〜第３目標温度ＴＴ３のいずれかを目標温度ＴＴとして設定する。ただし、目標温度ＴＴの設定形態は、実施形態に例示された内容に限られない。変形例の制御部１２は、温度調整部２２の操作に基づいて、目標温度ＴＴを一定値ずつ増加させる。制御部１２は、目標温度ＴＴが最大値に達した状態において温度調整部２２が操作されたとき、目標温度ＴＴとして最小値を設定する。
【００７３】
・実施形態の検知情報報知部３１は、パッド温度ＴＰが目標温度ＴＴに達していないとき、パッド温度情報を出力しない。ただし、パッド温度情報の出力形態は、実施形態に例示された内容に限られない。変形例の検知情報報知部３１は、パッド温度ＴＰが目標温度ＴＴに達していないことが検知信号ＳＤにより示唆されるとき、パッド温度情報としての昇温過程情報を出力する。変形例の検知情報報知部３１は、昇温過程情報の具体的な出力形態として、以下の（ａ）〜（ｄ）の少なくとも１つの出力形態を有する。
【００７４】
（ａ）制御部１２は、予熱時間Ｈが判定時間ＨＪよりも短い予備報知時間ＨＫに達したとき、検知報知信号ＳＣＤを検知情報報知部３１に出力する。制御部１２は、予熱時間Ｈが予備報知時間ＨＫに達していないとき、検知報知信号ＳＣＤを出力しない。検知報知信号ＳＣＤは、昇温過程情報を検知情報報知部３１に出力させるための情報を含む。検知情報報知部３１は、検知報知信号ＳＣＤに基づいて、ＬＥＤランプを点滅させる。ＬＥＤランプの点滅は、検知情報報知部３１による昇温過程情報の出力の一形態に相当する。
【００７５】
（ｂ）制御部１２は、上記（ａ）の構成において、次の構成を有する。制御部１２は、予熱時間Ｈが予備報知時間ＨＫよりも長く、かつ、判定時間ＨＪよりも短いとき、予熱時間Ｈが長くなるにつれて、検知報知信号ＳＣＤの内容を変化させる。検知情報報知部３１は、検知報知信号ＳＣＤに基づいて、ＬＥＤランプの点滅速度を変化させる。ＬＥＤランプの点滅速度は、予熱時間Ｈが長くなるにつれて速くなる。
【００７６】
（ｃ）検知情報報知部３１は、複数のＬＥＤランプを有する。検知情報報知部３１は、予熱時間Ｈが長くなるにつれてＬＥＤランプを点灯させる数を増加させ、予熱時間Ｈが判定時間ＨＪに達したときに全てのＬＥＤランプを点灯させる。
【００７７】
（ｄ）検知情報報知部３１は、光の色が互いに異なる複数のＬＥＤランプを有する。検知情報報知部３１は、点灯させるＬＥＤランプの種類を予熱時間Ｈに応じて変化させる。検知情報報知部３１は、一例として、予熱時間Ｈが判定時間ＨＪに達していないとき、第１の光を出力するＬＥＤランプを点灯させ、予熱時間Ｈが判定時間ＨＪに達したとき、第２の光を出力するＬＥＤランプを点灯させる。
【００７８】
検知情報報知部３１に関する上記各変形例は、次の効果を奏する。使用者２００は、昇温過程情報の変化に基づいて、パッド温度ＴＰを認識することができる。このため、使用者２００は、パッド温度ＴＰに応じて、パッド４０を使用するタイミングを選択することができる。
【００７９】
・実施形態の制御部１２は、昇温操作信号ＳＯＨを受信したことに基づいて、予熱制御を開始する。ただし、予熱制御の実行形態は、実施形態に例示された内容に限られない。変形例の制御部１２は、電源操作信号ＳＯＰを受信したことに基づいて、駆動状態を待機状態から制御状態に変化させるとき、併せて予熱制御を開始する。
【００８０】
・実施形態の制御部１２は、図４に示される予熱制御を行う。ただし、予熱制御の内容は、実施形態に例示された内容に限られない。変形例の制御部１２は、ステップＳ１４およびステップＳ１５を同時に行う、または、ステップＳ１５をステップＳ１４よりも先に行う。
【００８１】
・実施形態の情報出力部１３は、予熱時間Ｈを計測することによりパッド温度ＴＰを間接的に検知する。ただし、パッド温度ＴＰの検知方法は、実施形態に例示された内容に限られない。変形例の情報出力部１３は、例えば、以下の（ａ）〜（ｄ）の少なくとも１つの構成を有する。
【００８２】
（ａ）情報出力部１３は、温度センサーを有する。温度センサーは、パッド収納部１１のうちのパッド４０を支持する壁部に取り付けられる。温度センサーは、パッド収納部１１に収納されたパッド４０の粘着部４１から熱を受ける。温度センサーは、粘着部４１から受けた熱に応じて変化する検知信号ＳＤを制御部１２に出力する。
【００８３】
（ｂ）情報出力部１３は、温度センサーを有する。温度センサーは、パッド４０と一体化され、粘着部４１と接触する。温度センサーは、粘着部４１から受けた熱に応じて変化する検知信号ＳＤを制御部１２に出力する。
【００８４】
（ｃ）情報出力部１３は、温度センサーを有する。温度センサーは、パッド収納部１１のうちのパッド４０の周囲に存在する壁部に取り付けられる。温度センサーは、パッド収納部１１に収納されたヒーター５０から熱を受ける。温度センサーは、ヒーター５０から受けた熱に応じて変化する検知信号ＳＤを制御部１２に出力する。
【００８５】
（ｄ）情報出力部１３は、温度センサーを有する。温度センサーは、パッド４０と一体化され、ヒーター５０と接触する。温度センサーは、ヒーターから受けた熱に応じて変化する検知信号ＳＤを制御部１２に出力する。
【００８６】
・実施形態の操作部２０は、低周波治療器本体１０に形成されている。ただし、操作部２０の構成は、実施形態に例示された内容に限られない。変形例の操作部２０は、低周波治療器本体１０から分離した１つの装置としての形態を有する。なお、報知部３０およびヒーター５０においても、上記変形例に準じた変形が成立する。
【００８７】
・実施形態の電源部１４は、商用交流電源２から供給された電力を各電気ブロックに供給する。ただし、電源部１４の構成は、実施形態に例示された内容に限られない。変形例の電源部１４は、１次電池または２次電池を取り付けるための構造を有する。この電源部１４は、１次電池または２次電池の電力を各電気ブロックに供給する。
【００８８】
・実施形態の低周波治療器１は、２枚のパッド４０を有する。ただし、パッド４０に関する構成は、実施形態に例示された内容に限られない。変形例の低周波治療器１は、一例として３枚以上のいずれかの枚数のパッド４０を有する。
【符号の説明】
【００８９】
１…低周波治療器
１０…低周波治療器本体、１１…パッド収納部、１３…情報出力部、１４…電源部
２２…温度調整部
３１…検知情報報知部、３２…目標温度報知部
４０…パッド
５０…ヒーター
６０…コード
【図１】
2015000298.tif 000003
【図２】
2015000298.tif 000004
【図３】
2015000298.tif 000005
【図４】
2015000298.tif 000006
【図５】
2015000298.tif 000007